(57)【要約】【課題】音響機器の不具合を予知するための情報を、該音響機器の外部からでも確認することができる音響機器、サーバ、音響システム、音響機器の制御方法、およびプログラムを提供する。【解決手段】音響機器は、ネットワークインタフェースと、前記ネットワークインタフェースを介して受信したオーディオ信号を増幅するアンプと、前記アンプの出力値を取得し、該出力値を前記ネットワークインタフェースを介して送信する送信部と、を備える。【選択図】図１
2019169756.tif 000002
【特許請求の範囲】
【請求項１】
ネットワークインタフェースと、
前記ネットワークインタフェースを介して受信したオーディオ信号を増幅するアンプと、
前記アンプの出力値を取得し、該出力値を前記ネットワークインタフェースを介して送信する送信部と、
を備えた、音響機器。
【請求項２】
前記ネットワークインタフェースを介して受信したオーディオ信号に対して信号処理を行なう信号処理部を備え、
前記信号処理部は、前記出力値を取得し、該出力値を前記ネットワークインタフェースを介して送信することにより、前記送信部を構成する、
請求項１に記載の音響機器。
【請求項３】
前記アンプに電力を供給する電源ユニットを備え、
前記送信部は、前記電源ユニットが供給する電流値または電圧値を取得し、前記ネットワークインタフェースを介して送信する、
請求項１または請求項２に記載の音響機器。
【請求項４】
前記電源ユニットに交流電力を供給する電力供給部を備え、
前記送信部は、前記電力供給部が供給する前記交流電力の電流値または電圧値を取得し、前記ネットワークインタフェースを介して送信する、
請求項３に記載の音響機器。
【請求項５】
前記出力値を解析する解析部をさらに備える
請求項１乃至請求項４のいずれかに記載の音響機器。
【請求項６】
ネットワークインタフェースと、
前記ネットワークインタフェースを介して、音響機器のアンプの出力値を前記音響機器から受信する、受信部と、
前記受信部で受信した前記出力値を解析する解析部と、
を備えるサーバ。
【請求項７】
前記解析部の解析結果に基づいて、前記音響機器のパラメータを制御する制御部を備えた、
請求項６に記載のサーバ。
【請求項８】
前記解析部は、インピーダンスの周波数特性の算出である、
請求項６または請求項７に記載のサーバ。
【請求項９】
音響機器およびサーバを備え、
前記音響機器は、
第１ネットワークインタフェースと、
前記第１ネットワークインタフェースを介して受信したオーディオ信号を増幅するアンプと、
前記アンプの出力値を取得し、該出力値を前記第１ネットワークインタフェースを介して送信する送信部と、
を備え、
前記サーバは、
第２ネットワークインタフェースと、
前記第２ネットワークインタフェースを介して、音響機器のアンプの出力値を前記音響機器から受信する、受信部と、
前記受信部で受信した前記出力値を解析する解析部と、
を備えた、音響システム。
【請求項１０】
ネットワークインタフェースを介して受信したオーディオ信号をアンプで増幅し、
前記アンプの出力値を取得し、
前記出力値を前記ネットワークインタフェースを介して送信する、
音響機器の制御方法。
【請求項１１】
前記ネットワークインタフェースを介して受信したオーディオ信号に対して信号処理を行う信号処理部により、前記出力値を取得し、該出力値を前記ネットワークインタフェースを介して送信する、
請求項１０に記載の音響機器の制御方法。
【請求項１２】
前記アンプに電力を供給する電源ユニットが供給する電流値または電圧値を取得し、
前記ネットワークインタフェースを介して送信する、
請求項１０または請求項１１に記載の音響機器の制御方法。
【請求項１３】
前記電源ユニットに交流電力を供給する電力供給部の電流値または電圧値を取得し、
前記ネットワークインタフェースを介して送信する、
請求項１２に記載の音響機器の制御方法。
【請求項１４】
前記出力値を解析する、
請求項１０乃至請求項１３のいずれかに記載の音響機器の制御方法。
【請求項１５】
ネットワークインタフェースを介して受信したオーディオ信号をアンプで増幅する処理と、
前記アンプの出力値を取得する処理と、
前記出力値を前記ネットワークインタフェースを介して送信する処理と、
を音響機器に実行させるプログラム。
【発明の詳細な説明】
【技術分野】
【０００１】
この発明の一実施形態は、オーディオ信号を入力または出力する音響機器、サーバ、音響システム、音響機器の制御方法およびプログラムに関する。
【背景技術】
【０００２】
特許文献１には、ＤＳＰ（Digital Signal Processor）６の信号をエミュレータ１０に出力することで、エミュレータ１０がＤＳＰ６のデバッグを行なうことが開示されている。
【先行技術文献】
【特許文献】
【０００３】
【特許文献１】特公平０７−１１１６８６号公報
【発明の概要】
【発明が解決しようとする課題】
【０００４】
音響機器は、使用中に音を止めないことが重要である。つまり、音響機器は、音が止まるような不具合が発生するか否かを予測することが重要である。特許文献１には、不具合の発生を予測することは開示されていない。
【０００５】
この発明の一実施形態は、音響機器の不具合を予測するための情報を、該音響機器の外部から確認することができる音響機器、サーバ、音響システム、音響機器の制御方法、およびプログラムを提供することを目的とする。
【課題を解決するための手段】
【０００６】
音響機器は、ネットワークインタフェースと、前記ネットワークインタフェースを介して受信したオーディオ信号を増幅するアンプと、前記アンプの出力値を取得し、該出力値を前記ネットワークインタフェースを介して送信する送信部と、を備える。
【発明の効果】
【０００７】
この発明の一実施形態は、音響機器の不具合を予測するための情報を、該音響機器の外部から確認することができる。
【図面の簡単な説明】
【０００８】
【図１】音響機器１の構成を示すブロック図である。
【図２】音響機器１の動作を示すフローチャートである。
【図３】音響機器１と、該音響機器１に接続されるミキサ１１と、からなる音響システム１００の構成を示すブロック図である。
【図４】ミキサ１１の構成を示すブロック図である。
【図５】ミキサ１１の動作を示すフローチャートである。
【図６】スピーカ１３の構成を示すブロック図である。
【図７】アンプ１０９のより詳細な構成を示すブロック図である。
【図８】変形例１に係るアンプ１０９の詳細な構成を示すブロック図である。
【図９】変形例２に係るアンプ１０９の詳細な構成を示すブロック図である。
【図１０】変形例３に係るアンプ１０９の詳細な構成を示すブロック図である。
【図１１】インピーダンスの周波数特性を示す図である。
【図１２】インピーダンスの周波数特性を示す図である。
【図１３】音響システムの構成を示すブロック図である。
【図１４】ミキサ１１の構成を示すブロック図である。
【図１５】信号処理部１０６で算出したインピーダンスの周波数特性を示した図である。
【図１６】信号処理部２０４で算出したインピーダンスの周波数特性を示した図である。
【図１７】ミキサ１１の表示器２０１における表示例を示す図である。
【図１８】無音時に電源を遮断するアンプ１０９の構成を示すブロック図である。
【発明を実施するための形態】
【０００９】
図１は、本発明の一実施形態である音響機器１の構成を示すブロック図である。図２は、音響機器１の動作を示すフローチャートである。図３は、音響機器１と、該音響機器１に接続されるミキサ１１と、からなる音響システム１００の構成を示すブロック図である。図４は、ミキサ１１の構成を示すブロック図である。図５は、ミキサ１１の動作を示すフローチャートである。
【００１０】
音響機器１は、ネットワークインタフェース（Ｉ／Ｆ）１０３、アンプ１０９、および送信部１５０を備えている。ネットワークＩ／Ｆ１０３は、ネットワークを介して外部の装置（例えばミキサ１１）からオーディオ信号を受信する（Ｓ１１）。ネットワークＩ／Ｆ１０３は、受信したオーディオ信号をアンプ１０９に入力する。なお、図１では省略されているが、音響機器１は、デジタルオーディオ信号をアナログオーディオ信号に変換するＤ／Ａ変換器を備えている。
【００１１】
なお、音響機器１は、ネットワークＩ／Ｆ１０３が受信したオーディオ信号を処理する信号処理部（ＤＳＰ：Ｄｉｓｉｔａｌ  Ｓｉｇｎａｌ  Ｐｒｏｃｅｓｓｏｒ）を備えていてもよい。
【００１２】
アンプ１０９は、入力されたアナログオーディオ信号を増幅して出力する（Ｓ１２）。アナログオーディオ信号は、不図示のスピーカに入力され、音として出力される。
【００１３】
送信部１５０は、アンプ１０９の出力値を取得する（Ｓ１３）。送信部１５０は、例えば、アンプ１０９に設けられた電流センサまたは電圧センサを介して、アンプ１０９の出力値の一例である電流値または電圧値を取得する。
【００１４】
送信部１５０は、取得したアンプ１０９の出力値を、ネットワークＩ／Ｆ１０３を介して送信する（Ｓ１４）。例えば、送信部１５０は、ネットワークを介して接続されるミキサ１１に、該出力値を送信する。
【００１５】
ミキサ１１は、図４に示す様に、ネットワークＩ／Ｆ２０５と、解析部２１０と、を備えている。ネットワークＩ／Ｆ２０５は、該出力値を受信する（Ｓ２１）。つまり、ネットワークＩ／Ｆ２０５は、受信部に相当する。解析部２１０は、受信した出力値を解析する（Ｓ２２）。ミキサ１１は、解析部２１０の解析結果により、音響機器１に不具合が生じる可能性があるか否かを予測する。例えば、電圧値が異常に高い値を示す、または電流値が異常に高い値を示した場合には、音響機器１において音が止まるような不具合が生じる可能性がある。
【００１６】
この様にして、本発明の一実施形態は、音響機器１の不具合を予測するための情報を、該音響機器１の外部（例えばミキサ１１）から確認することができる。
【００１７】
次に、図６は、スピーカ１３の構成を示すブロック図である。スピーカ１３は、音響機器１の具体例の１つである。
【００１８】
スピーカ１３は、表示器１０１、ユーザインタフェース（Ｉ／Ｆ）１０２、ネットワークインタフェース（Ｉ／Ｆ）１０３、フラッシュメモリ１０４、ＲＡＭ１０５、信号処理部１０６、ＣＰＵ１０７、Ｄ／Ａ変換器１０８、アンプ１０９、スピーカユニット１１１、電源ユニット１３１、およびＡＣ供給部１３２を備えている。
【００１９】
表示器１０１、ユーザＩ／Ｆ１０２、ネットワークＩ／Ｆ１０３、フラッシュメモリ１０４、ＲＡＭ１０５、信号処理部１０６、ＣＰＵ１０７、Ｄ／Ａ変換器１０８、アンプ１０９、および信号処理部１０６は、バス１５１に接続されている。スピーカユニット１１１は、アンプ１０９に接続されている。
【００２０】
電源ユニット１３１は、アンプ１０９を駆動するための電力（直流電力）を供給する。なお、電源ユニット１３１は、スピーカ１３の各構成に対して電力を供給してもよい。例えば、電源ユニット１３１は、ＣＰＵ１０７が駆動するための電力を供給してもよい。
【００２１】
ＡＣ供給部１３２は、電源ユニット１３１に交流電力を供給する電力供給部である。ＡＣ供給部１３２は、設備用の交流電源または電源車等に接続される。ＡＣ供給部１３２は、これら設備用の交流電源または電源車等から交流電力を受け、該交流電力を電源ユニット１３１に供給する。
【００２２】
表示器１０１は、例えばＬＣＤ（LiquidCrystal Display）またはＯＬＥＤ（Organic Light-Emitting Diode）等からなり、種々の情報を表示する。ユーザＩ／Ｆ１０２は、スイッチ、摘まみ、またはタッチパネル等からなり、ユーザの操作を受け付ける。ユーザＩ／Ｆ１０２がタッチパネルである場合、該ユーザＩ／Ｆ１０２は、表示器１０１とともに、ＧＵＩ（Graphical User Interface以下略）を構成する。
【００２３】
ＣＰＵ１０７は、記憶媒体であるフラッシュメモリ１０４に記憶されているプログラムをＲＡＭ１０５に読み出して、所定の機能を実現する。例えば、ＣＰＵ１０７は、表示器１０１にユーザの操作を受け付けるための画像を表示し、ユーザＩ／Ｆ１０２を介して、当該画像に対する選択操作等を受け付けることで、ＧＵＩを実現する。
【００２４】
なお、ＣＰＵ１０７が読み出すプログラムは、自装置内のフラッシュメモリ１０４に記憶されている必要はない。例えば、プログラムは、サーバ等の外部装置の記憶媒体に記憶されていてもよい。この場合、ＣＰＵ１０７は、該サーバから都度プログラムをＲＡＭ１０５に読み出して実行すればよい。
【００２５】
ネットワークＩ／Ｆ１０３は、ネットワークを介して外部の装置（例えばミキサ１１）からオーディオ信号を受信する（図２のＳ１１と同じ動作である）。
【００２６】
信号処理部１０６は、各種信号処理を行なうためのＤＳＰから構成される。信号処理部１０６は、ネットワークＩ／Ｆ１０３を介して入力されたオーディオ信号に、ミキシング、イコライジング、またはコンプレッシング等の信号処理を施す。信号処理部１０６は、信号処理後のオーディオ信号を、Ｄ／Ａ変換器１０８に出力する。
【００２７】
Ｄ／Ａ変換器１０８は、入力したオーディオ信号をアナログオーディオ信号に変換する。アンプ１０９は、該アナログオーディオ信号を増幅して出力する（図２のＳ１２と同じ動作である）。アナログオーディオ信号は、スピーカユニット１１１に入力され、音として出力される。
【００２８】
図７は、アンプ１０９のより詳細な構成を示すブロック図である。アンプ１０９は、増幅素子９０と、電流電圧（ＶＩ）検出回路９１と、を備えている。増幅素子９０は、電源ユニット１３１に接続される。増幅素子９０は、電源ユニット１３１からの電力供給を受けることにより、Ｄ／Ａ変換器１０８から出力されるアナログオーディオ信号を増幅して出力する。
【００２９】
ＶＩ検出回路９１は、増幅素子９０の後段に接続され、増幅素子９０の出力値の一例である電流値および電圧値を検出する。信号処理部１０６は、ＶＩ検出回路９１から、電流値および電圧値を取得する（図２のＳ１３と同じ動作である）。信号処理部１０６は、取得した出力値をネットワークＩ／Ｆ１０３を介して送信する（図２のＳ１４と同じ動作である）。つまり、この例では、信号処理部１０６は、アンプ１０９の出力値を取得し、該出力値をネットワークＩ／Ｆ１０３を介して送信することにより、図１に示した送信部１５０を構成する。
【００３０】
この例では、ネットワークＩ／Ｆ１０３を介してオーディオ信号を受信して処理するＤＳＰによって送信部１５０が構成される。したがって、音響機器１は、別途、アンプ１０９の出力値を送信するための新たなハードウェアを備える必要がない。また、送信部１５０は、ＣＰＵ１０７が読み出すソフトウェアの動作により構成されてもよい。この場合も、音響機器１は、別途、出力値を送信するための新たなハードウェアを備える必要なく、アンプ１０９の出力値を送信することができる。
【００３１】
図８は、変形例１に係るアンプ１０９の詳細な構成を示すブロック図である。変形例１に係るアンプ１０９は、ＶＩ検出回路９１に代えて、ＶＩ検出回路９０１を備えている。その他の構成は、図７に示したブロック図と同じ構成である。
【００３２】
ＶＩ検出回路９０１は、電源ユニット１３１とアンプ１０９との間に接続される。ＶＩ検出回路９０１は、電源ユニット１３１がアンプ１０９に供給する直流電力の値（電流値および電圧値）を検出する。信号処理部１０６は、ＶＩ検出回路９０１から、電源ユニット１３１の電流値および電圧値を取得する。信号処理部１０６は、取得した電源ユニット１３１の電流値および電圧値をネットワークＩ／Ｆ１０３を介して送信する。つまり、この例では、信号処理部１０６は、電源ユニット１３１からの電流値および電圧値を取得し、ネットワークＩ／Ｆ１０３を介して送信する。
【００３３】
これにより、解析部２１０は、電源ユニット１３１が供給する直流電力に起因する不具合が生じる可能性があるか否かを予測することができる。例えば、電源ユニット１３１における各種部品に不具合が生じると、電圧値が低下したり、電流値が低下したりする可能性がある。したがって、電源ユニット１３１の電圧値が異常に低い値を示す、または電流値が異常に低い値を示した場合には、音響機器１において音が止まるような不具合が生じる可能性がある。
【００３４】
したがって、変形例１は、音響機器１の不具合を予測するための情報として、電源ユニット１３１の直流電力の状態を、該音響機器１の外部（例えばミキサ１１）から確認する。
【００３５】
図９は、変形例２に係るスピーカ１３の詳細な構成を示すブロック図である。変形例２に係るスピーカ１３は、ＶＩ検出回路９０２を備えている。
【００３６】
ＶＩ検出回路９０２は、ＡＣ供給部１３２と電源ユニット１３１との間に接続される。ＶＩ検出回路９０２は、ＡＣ供給部１３２が電源ユニット１３１に供給する交流電力の値（電流値および電圧値）を検出する。信号処理部１０６は、ＶＩ検出回路９０２から、ＡＣ供給部１３２の電流値および電圧値を取得する。信号処理部１０６は、取得したＡＣ供給部１３２の電流値および電圧値をネットワークＩ／Ｆ１０３を介して送信する。つまり、この例では、信号処理部１０６は、ＡＣ供給部１３２の出力する交流電力の電流値および電圧値を取得し、ネットワークＩ／Ｆ１０３を介して送信する。
【００３７】
これにより、解析部２１０は、ＡＣ供給部１３２の交流電力に起因する不具合が生じる可能性があるか否かを予測することができる。例えば、設備側の電源の電圧が異常に低下した場合、音響機器１において音が止まるような不具合が生じる可能性がある。
【００３８】
よって、変形例２は、音響機器１の不具合を予測するための情報として、ＡＣ供給部１３２の交流電力の状態を、該音響機器１の外部（例えばミキサ１１）から確認する。
【００３９】
なお、図７、図８、および図９に示した構成は、それぞれ単独でも実現可能であるが、図７、図８、および図９に示した構成を組み合わせることも可能である。
【００４０】
次に、図１０は、変形例３に係るアンプ１０９の詳細な構成を示すブロック図である。変形例３に係るアンプ１０９は、信号処理部１０６が解析部１１０Ａを備えている。その他の構成は、図７に示したブロック図と同じ構成である。
【００４１】
なお、図１０の例では、信号処理部１０６が解析部１１０Ａの機能を実現しているが、別のハードウェアにより解析部１１０Ａを構成してもよい。また、ＣＰＵ１０７がソフトウェアにより解析部１１０Ａの機能を実現してもよい。
【００４２】
解析部１１０Ａは、ＶＩ検出回路９１で検出されたアンプ１０９の電流値および電圧値を解析する。解析部１１０Ａは、例えば、解析の一例として、インピーダンスの周波数特性を算出する。解析部１１０Ａは、電流値および電圧値から算出されるインピーダンスの時間軸の信号を、ＦＦＴ（高速フーリエ変換：Fast Fourier Transform）によって周波数軸の信号に変換する。解析部１１０Ａは、当該インピーダンスの周波数特性を出力する。解析結果は、図１０に示す様にネットワークＩ／Ｆ１０３を介して外部の装置に出力されるか、またはＣＰＵ１０７によって表示器１０１に表示される。
【００４３】
図１１は、インピーダンスの周波数特性を示す図である。グラフの横軸は周波数（Ｈｚ）であり、縦軸はインピーダンス（Ω）である。アンプ１０９を含む一般的なアンプは、各部品の電気特性、あるいはスピーカユニットの部品（例えばスピーカコーンおよびエンクロージャ）の機械的特性等により、インピーダンスに共振点が生じる。図１０の例では、１００Ｈｚ付近に共振点が存在する。
【００４４】
そして、スピーカユニット１１１に不具合が生じると、アンプ１０９のインピーダンスが短時間に急激に変化する可能性がある。例えば、図１２に示す様に、特異的にインピーダンスが高い周波数（特異点）が生じると、電流が流れなくなり、アンプ１０９がスピーカを制動できない状態となる。また、特異的にインピーダンスが低い周波数（特異点）が生じると、スピーカコーンが瞬時的に最大振幅に達して、該スピーカコーンが振動できない状態となる。これらの状態が継続すると、アンプ１０９またはスピーカユニット１１１に不具合が生じて、音が止まる可能性がある。
【００４５】
したがって、音響機器１は、インピーダンスの周波数特性を算出して、解析結果として外部に出力する（または表示器１０１に表示する）。これにより、ユーザは、インピーダンスの周波数特性を見ることで、音が止まる不具合が発生するか否かを、事前に予測することができる。または、ＣＰＵ１０７は、上記のような特異点が生じた場合に、表示器１０１に警告表示を行なう等することで、ユーザは、音が止まる可能性の不具合が発生するか否かを、事前に予測することができる。
【００４６】
次に、図１３は、音響システム１００Ａの構成を示すブロック図である。音響システム１００Ａは、ミキサ１１、複数のスイッチ（スイッチ１２Ａ、スイッチ１２Ｂ）、および複数のスピーカ（スピーカ１３Ａ〜スピーカ１３Ｆ）を備えている。
【００４７】
各機器は、ネットワークケーブルを介して接続されている。例えば、ミキサ１１は、スイッチ１２Ａに接続されている。スイッチ１２Ａは、スイッチ１２Ｂおよびスピーカ１３Ａに接続されている。スイッチ１２Ｂは、スイッチ１２Ａおよびスピーカ１３Ｄに接続されている。スピーカ１３Ａ、スピーカ１３Ｂ、およびスピーカ１３Ｃは、スイッチ１２Ａに、デイジーチェーンで接続されている。また、スピーカ１３Ｄ、スピーカ１３Ｅ、およびスピーカ１３Ｆも、スイッチ１２Ｂに、デイジーチェーンで接続されている。ただし、機器間の接続は、図１３に示す態様に限るものではない。また、各機器は、ネットワークで接続される必要はなく、例えばＵＳＢケーブル、ＨＤＭＩ（登録商標）、またはＭＩＤＩ等の通信線で接続されていてもよいし、デジタルオーディオケーブルで接続されていてもよい。
【００４８】
ミキサ１１は、サーバの一例である。ミキサ１１は、ネットワークで接続されている他の機器からオーディオ信号を入力する、または他の機器に対してオーディオ信号を出力する。スピーカ１３Ａ〜スピーカ１３Ｆは、音響機器の一例であり、スピーカ１３と同じ構成および機能を有する。なお、サーバは、ミキサ１１に限らない。例えば、パーソナルコンピュータ等の情報処理装置も、サーバの一例である。また、オーディオの録音、編集、またはミキシング等の作業を行なうためのハードウェアまたはソフトウェアからなるシステム（ＤＡＷ：Digital Audio Workstation）も、サーバの一例である。
【００４９】
図１４は、ミキサ１１の構成を示すブロック図である。ミキサ１１は、表示器２０１、ユーザＩ／Ｆ２０２、オーディオＩ／Ｏ（Ｉｎｐｕｔ／Ｏｕｔｐｕｔ）２０３、信号処理部（ＤＳＰ）２０４、ネットワークＩ／Ｆ２０５、ＣＰＵ２０６、フラッシュメモリ２０７、およびＲＡＭ２０８を備えている。これら構成は、バス２７１を介して接続されている。
【００５０】
ＣＰＵ２０６は、ミキサ１１の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、ネットワークＩ／Ｆ２０５を介して、スピーカ１３Ａ〜スピーカ１３Ｆから各アンプの電流値および電圧値を受信する。
【００５１】
なお、ＣＰＵ２０６が読み出すプログラムも、自装置内のフラッシュメモリ２０７に記憶されている必要はない。例えば、プログラムは、サーバ等の外部装置の記憶媒体に記憶されていてもよい。この場合、ＣＰＵ２０６は、該サーバから都度プログラムをＲＡＭ２０８に読み出して実行すればよい。
【００５２】
信号処理部２０４は、各種信号処理を行なうためのＤＳＰから構成される。信号処理部２０４は、オーディオＩ／Ｏ２０３またはネットワークＩ／Ｆ２０５を介して入力されるオーディオ信号に、ミキシング、イコライジング、またはコンプレッシング等の信号処理を施す。信号処理部２０４は、信号処理後のオーディオ信号を、オーディオＩ／Ｏ２０３またはネットワークＩ／Ｆ２０５を介して、スピーカ１３Ａ等の他の機器に出力する。
【００５３】
また、信号処理部２０４は、ＣＰＵ２０６から、各アンプの電流値および電圧値を入力する。信号処理部２０４は、解析部２１０を構成する。信号処理部２０４の解析部２１０は、スピーカ１３Ａ〜スピーカ１３Ｆから各アンプの出力値（アンプ１０９の電流値および電圧値）を解析する。信号処理部２０４の解析部２１０も、例えば、インピーダンスの周波数特性を算出する。ただし、信号処理部２０４は、スピーカ１３Ａ〜スピーカ１３Ｆの信号処理部１０６よりも高性能であり、高い解析機能を有する。そのため、信号処理部２０４は、スピーカ１３Ａ〜スピーカ１３Ｆの信号処理部１０６よりも高い分解能で、インピーダンスの周波数特性を算出することができる。これにより、信号処理部２０４は、不具合につながる可能性のある特異点を、高精度に求めることができる。
【００５４】
図１５は、信号処理部１０６で算出したインピーダンスの周波数特性を示した図であり、図１６は、信号処理部２０４で算出したインピーダンスの周波数特性を示した図である。
【００５５】
図１５および図１６に示す様に、信号処理部１０６および信号処理部２０４が算出するインピーダンスの周波数特性は、デジタル信号であるため、離散値である。離散値の数、すなわち分解能は、ＤＳＰにより実現されるデジタルフィルタのタップ数に依存し、ＤＳＰのリソースに依存する。ミキサ１１の信号処理部２０４は、多数のチャンネルのオーディオ信号を処理するために、高性能かつ多数のＤＳＰから実現される。一方で、スピーカ１３に設けられた信号処理部１０６は、ミキサ１１から送信された１または数チャンネル分のオーディオ信号を処理するため、ミキサ１１の信号処理部２０４のＤＳＰよりも相対的に性能が低いＤＳＰが用いられる。そのため、図１５および図１６に示す様に、信号処理部１０６が算出するインピーダンスの周波数特性は、ミキサ１１の信号処理部２０４が算出するインピーダンスの周波数特性よりも分解能が低くなる。したがって、信号処理部１０６が算出したインピーダンスの周波数特性では、急峻なピーク特性（高いＱ値）を有する共振周波数を抽出できない可能性がある。これに対して、図１６に示す様に、信号処理部２０４が算出したインピーダンスの周波数特性は、分解能が高いために、急峻なピーク特性を有する共振周波数も的確に抽出することができる。
【００５６】
この様にして、ミキサ１１は、各スピーカからアンプの出力値を受信し、各スピーカでは算出することができない程度の高精度な解析を行なうことができる。特に、インピーダンスが短時間で急激に変化する場合、各スピーカ単体では抽出できない程度の急峻な特性が生じる可能性があるが、ミキサ１１により高精度な解析を行なうことで、ユーザは、不具合が生じる可能性を事前に予測することができる。
【００５７】
また、ミキサ１１では、ユーザは、複数のスピーカの解析結果を一覧することができる。例えば、ミキサ１１は、図１７に示す様に、ミキサ１１の表示器２０１において複数のスピーカ１３Ａ、スピーカ１３Ｂ、スピーカ１３Ｃ，およびスピーカ１３Ｄのインピーダンスの周波数特性を表示する。
【００５８】
この場合、ユーザは、設置された複数のスピーカから、不具合が生じる可能性のあるスピーカを容易に特定することができる。そのため、ユーザは、スピーカの設置数が多くなった場合でも、どのスピーカにどのオーディオ信号を送信させて、どの様な信号処理をさせるか、容易に設定し直すことができる。例えば、あるスピーカ（第１のスピーカ）において不具合が生じる可能性が高いと判断した場合に、ミキサ１１の設定を変更して、別のスピーカ（第２のスピーカ）に対して第１のスピーカに設定されていたバスを、第２のスピーカに置き換えることで、第２のスピーカから当該バスのオーディオ信号を出力させることができる。
【００５９】
また、ユーザは、表示器２０１の表示を見て、特定のスピーカでのみ不具合が生じる可能性が高いのか、あるいは複数のスピーカにおいて連動して不具合が生じる可能性が高いのか、判断することができる。例えば、図１７に示す様に、複数のスピーカ１３Ａ、スピーカ１３Ｂ、スピーカ１３Ｃ，およびスピーカ１３Ｄにおいて、同じ様な特異点が生じた場合、ミキサ１１のユーザは、各スピーカに個別の問題が生じているのではなく、複数の機器に連動して生じる問題であるとわかる。そのため、設備側の電源に起因する問題や、スピーカが設置されている空間の問題、あるいは複数のスピーカを搭載する設備（例えばアレイ状に設置するためのラック）の問題、等の様に、複数の機器に共通する原因を絞り込むことができる。
【００６０】
また、上述の様に、ミキサ１１のユーザは、特定のスピーカに不具合が生じる可能性が高いと判断した場合には、特定のスピーカに送信するオーディオ信号を別のスピーカに送信する設定を行なう等して、適切な対応を取ることができる。また、ミキサ１１のＣＰＵ２０６は、所定周波数帯域内に急峻に高い値を示すインピーダンス特性（Ｑ値の高いピーク）が存在する場合に、当該スピーカに送信するオーディオ信号を、別のスピーカに送信する動作を行なってもよい。この場合、ＣＰＵ２０６は、解析部の解析結果に基づいて、音響機器のパラメータを制御する制御部として機能する。
【００６１】
なお、本実施形態では、インピーダンスの周波数特性を算出する例を示したが、解析は、インピーダンスの周波数特性の算出に限るものではない。例えば、平均電流値、平均電圧値を求めてもよいし、瞬時値と平均値とを対比してもよい。アンプ１０９の出力値は、交流信号であるため、交流信号の解析に用いられる手法は、どの様な手法であっても適用することができる。
【００６２】
また、アンプの出力値（電圧値および電流値）は、アナログオーディオ信号そのものであるため、音としての解析が可能である。ユーザは、アンプの出力値（電圧値および電流値）を音として聞くことで、例えばノイズ音が大きい場合に不具合が生じる可能性が高いと判断することができる。
【００６３】
なお、本実施形態の説明は、すべての点で例示であって、制限的なものではない。本発明の範囲は、上述の実施形態ではなく、特許請求の範囲によって示される。さらに、本発明の範囲には、特許請求の範囲と均等の意味および範囲内でのすべての変更が含まれることが意図される。
【００６４】
例えば、図１８は、消費電力の低減のために、無音時に電源を遮断するアンプ１０９の構成を示すブロック図である。図１８において、アンプ１０９は、増幅素子９０、ＶＩ検出回路９１、入力検出回路９５、およびスイッチ５０を備えている。
【００６５】
入力検出回路９５は、増幅素子９０の前段に接続され、増幅素子９０に入力されるオーディオ信号のレベルを検出する。ＣＰＵ１０７は、入力検出回路９５の検出結果に基づいてオーディオ信号が入力されているか否かを判断する。例えば、ＣＰＵ１０７は、入力検出回路９５で検出されるオーディオ信号のレベルが所定値以上である場合に、オーディオ信号が入力されていると判断する。ＣＰＵ１０７は、オーディオ信号のレベルが所定値未満である場合に、オーディオ信号が入力されていないと判断する。ＣＰＵ１０７は、オーディオ信号が入力されていないと判断した場合に、スイッチ５０をオフにして、増幅素子９０の電源を遮断する。これにより、ＣＰＵ１０７は、無駄な消費電力を低減する。
【００６６】
一方、ＣＰＵ１０７は、スイッチ５０をオフにした場合でも、ＶＩ検出回路９１で検出した電圧値が所定の閾値を超える場合、スイッチ５０をオンにする。増幅素子９０の電源が遮断されると、スピーカユニットのコーンは、自由に振動する。したがって、スピーカユニットのコーンは、他のスピーカからの放音の影響で振動する場合がある。スピーカユニットのコーンが振動すると、逆起電力によって、増幅素子９０に損傷を与える可能性がある。特に、大規模空間におけるＰＡ（Ｐｕｂｌｉｃ  Ａｄｄｒｅｓｓ）システムの場合、複数のスピーカを多数、隣接して設置する。また、各スピーカの音量は非常に大きくなる。したがって、複数のスピーカ間の振動が互いに大きく影響を及ぼし合うことになる。
【００６７】
そこで、ＣＰＵ１０７は、増幅素子９０の電源を遮断していても、ＶＩ検出回路９１で検出した電圧値が所定の閾値を超える場合、スイッチ５０をオンにして、電源をオンする。増幅素子９０に電源が供給されると、スピーカユニットのコーンは、当該電源の電力（出力信号の電力）によって動作が制御される。これにより、スピーカユニットのコーンが振動することで生じる逆起電力によって増幅素子９０の損傷を防止する。
【００６８】
そして、図１３に示したように、各スピーカの出力値をミキサ１１に送信する場合、ミキサ１１において、各スピーカの逆起電力を監視することができる。この場合、ミキサ１１は、逆起電力が所定値を越えたスピーカに対して、電源をオンする指示を送信する。この様に、アンプの出力値を外部に出力することで、ユーザは、サーバから各スピーカの状態を監視することができる。音響機器は、消費電力を低減しながらも、不具合が生じることを未然に防止することができる。
【符号の説明】
【００６９】
１１…ミキサ
１２Ａ，１２Ｂ…スイッチ
１３，１３Ａ、１３Ｂ，１３Ｃ，１３Ｄ，１３Ｅ，１３Ｆ…スピーカ
５０…スイッチ
９０…増幅素子
９１…ＶＩ検出回路
９５…入力検出回路
１００…音響システム
１０１…表示器
１０２…ユーザＩ／Ｆ
１０３…ネットワークＩ／Ｆ
１０４…フラッシュメモリ
１０５…ＲＡＭ
１０６…信号処理部
１０７…ＣＰＵ
１０８…Ｄ／Ａ変換器
１０９…アンプ
１１０Ａ…解析部
１１１…スピーカユニット
１３１…電源ユニット
１３２…ＡＣ供給部
１５０…送信部
１５１…バス
２０１…表示器
２０２…ユーザＩ／Ｆ
２０３…オーディオＩ／Ｆ
２０４…信号処理部
２０５…ネットワークＩ／Ｆ
２０６…ＣＰＵ
２０７…フラッシュメモリ
２０８…ＲＡＭ
２１０…解析部
２７１…バス
９０１，９０２…ＶＩ検出回路
【図１】
2019169756.tif 000003
【図２】
2019169756.tif 000004
【図３】
2019169756.tif 000005
【図４】
2019169756.tif 000006
【図５】
2019169756.tif 000007
【図６】
2019169756.tif 000008
【図７】
2019169756.tif 000009
【図８】
2019169756.tif 000010
【図９】
2019169756.tif 000011
【図１０】
2019169756.tif 000012
【図１１】
2019169756.tif 000013
【図１２】
2019169756.tif 000014
【図１３】
2019169756.tif 000015
【図１４】
2019169756.tif 000016
【図１５】
2019169756.tif 000017
【図１６】
2019169756.tif 000018
【図１７】
2019169756.tif 000019
【図１８】
2019169756.tif 000020